(57)【要約】【課題】ロープウエイの走行中にも搬器内電気機器に電力供給できる電源装置の提供。【解決手段】張り渡されたロープによって支持されてこのロープに沿って移動するロープウエイ搬器の搬器内電気機器に電力を供給するための電源装置として、搬器に設けられて、搬器が走行中に外部から受けるエネルギーを電気機器用電力に変換する発電装置を電源装置とした。発電装置は、搬器の走行用車輪により駆動される走行車輪発電機、搬器走行時の風による風車により駆動される風車発電機および太陽光線を受ける太陽光発電パネルの少なくとも１つを備えている。搬器はまた発電装置が発電した電力を蓄えるバッテリーを備えており、電圧調整器を備えていても良い。【選択図】図１
2005297635.tif 000002
【特許請求の範囲】
【請求項１】
張り渡されたロープによって支持されて上記ロープに沿って移動し、電気機器が搭載された搬器を備えたロープウエイと共に用い、上記電気機器に電力を供給するための電源装置に於いて、
上記搬器に設けられて、上記搬器が走行中に外部から受けるエネルギーを上記電気機器に供給する電力に変換する発電装置を備えたことを特徴とする電源装置。
【請求項２】
上記発電装置が、上記搬器の走行用の車輪によって駆動される発電機を備えていることを特徴とする請求項１記載の電源装置。
【請求項３】
上記発電装置が、上記搬器の走行時に回転する風車によって駆動される発電機を備えていることを特徴とする請求項１記載の電源装置。
【請求項４】
上記発電装置が、上記搬器の走行時に太陽光線を受ける太陽光発電パネルを備えていることを特徴とする請求項１記載の電源装置。
【請求項５】
上記搬器に設けられて上記発電装置が発電した電力を蓄えるバッテリーを備えたことを特徴とする請求項１乃至４のいずれか一項に記載の電源装置。
【請求項６】
上記搬器に設けられて上記電力の電圧調整をする電圧調整器を備えたことを特徴とする請求項１乃至５のいずれか一項に記載の電源装置。
【発明の詳細な説明】
【技術分野】
【０００１】
この発明はロープウエイと共に用いて、ロープウエイの搬器に搭載された電気機器に電力を供給するための電源装置に関するものである。
【背景技術】
【０００２】
一般に索道方式輸送設備として知られているロープウエイ等の索道方式は、２つの地点間に張り渡されて循環する索道を握索して索道とともに走行する搬器（ゴンドラ）を備えたものである。（例えば特許文献１参照）また、固定張架された索道上を車輪によって走行可能に支持されて、牽引ロープにより索道に沿って走行する搬器を備えたものもある。
【０００３】
ロープウエイの搬器内には、空調設備、照明設備および無線装置などが搭載されており、また搬器外部には電飾や広告装置などを設けてあることがある。これらの電気機器を作動させるための電力を供給する電源装置としては、搬器内に搭載されたバッテリーが用いられていた。
【０００４】
【特許文献１】特開平５−１３１９２０号公報
【発明の開示】
【発明が解決しようとする課題】
【０００５】
上述のような従来のロープウエイに於いては、搬器に搭載された電気機器用の電源装置としてのバッテリーの充電は、搬器が停止する終点駅にバッテリー電源を設置し、搬器が終点駅で停止した非運行時に、パンタグラフ式の伸縮式連結端子を搬器側から伸展させて駅側に設置した電源端子に電気的に連結して充電するようにしていた。しかしながら、この方式では、例えば搬器が終点駅に非運行状態で停止しているときなどの比較的長時間の停止時にだけしかバッテリー充電ができない。ロープウエイの走行中には、搬器に設置された様々な電気機器は充電式電源装置だけで駆動しなければならず、搬器では大電力の使用も、長時間の使用もできず、電源装置としての性能が制限されていた。
【０００６】
従って、この発明の目的は、上述の課題を解決し、ロープウエイの走行中にも搬器の電気機器に電力を供給できる電源装置を提供することである。
【課題を解決するための手段】
【０００７】
この発明によれば、張り渡されたロープによって支持されて上記ロープに沿って移動し、電気機器が搭載された搬器を備えたロープウエイと共に用い、上記電気機器に電力を供給するための電源装置に於いて、上記搬器に設けられて、上記搬器が走行中に外部から受けるエネルギーを上記電気機器に供給する電力に変換する発電装置を備えたことを特徴とする電源装置が得られる。
【０００８】
発電装置は、搬器の走行車輪によって駆動される発電機としても、走行風等の風で回転する風車によって駆動される発電機としても、走行時に太陽光を受ける太陽光発電パネルとしても良い。また、搬器には、発電装置が発電した電力を蓄える蓄電池を備えることも、電力の電圧調整をする電圧調整器を備えることもできる。
【発明の効果】
【０００９】
この発明の電源装置によれば、搬器の走行中に外部から受けるエネルギーを電力に変換して電気機器に供給でき、搬器の電気機器に供給する電力の制限が緩和される。
【発明を実施するための最良の形態】
【００１０】
実施の形態１．
図１にはこの発明の電源装置を搭載したロープウエイを概略的に示してある。このロープウエイは、図示してない二駅間に張り渡された索道としてのロープ１を備え、このロープ１によって支持されてロープ１に沿って移動できる搬器（ゴンドラ）２を備えている。搬器２は、乗客乗員あるいは貨物を乗せるための搬器本体３と、搬器本体３の天井から上方に突出した懸垂腕部４に回転可能に設けられた走行車輪５と、走行中にも作動すべき電気機器６とを備えている。
【００１１】
走行車輪５は、懸垂腕部４の上端に設けられたブラケット８に車軸９を介して回転自在に取付られていて、ロープ１上を転動して、搬器２がロープ１に沿って案内支持されつつ走行できるようにするものである。電気機器６は、図には模式的にブロックで表してあるが、搬器内部に搭載される空調設備、照明設備および無線装置など、また搬器外部に搭載される電飾や広告装置などをも含むものである。搬器にはまた、電気機器６を作動させる電力を供給するためにバッテリー７が搭載されている。また搬器２をロープ１に沿って走行させるための牽引索１０の一端がブラケット８に結合されていて、牽引索１０の他端は、図示してないが終点駅等に設けた巻き取りドラムに接続されていて、巻き取りドラムによる巻き取り、繰り出しにより、搬器２をロープ１に沿って走行できるようにしてある。
【００１２】
この発明によれば、搬器２に搭載された電気機器６を作動させる電力を供給するため電源装置は、搬器２に設けられていて、搬器２が走行中に外部から受けるエネルギーを電気機器６に供給する電力に変換する発電装置１１を備えている。走行中の搬器２が外部から受けるエネルギーとは、図１に示す例では、走行車輪５がロープ１上を転動する際にロープ１から受ける回転力である。従って図示の発電装置１１は、４つの走行車輪５の車軸９にそれぞれ直接連結されて駆動される回転入力軸１２を持つ４台の発電機１３を備えている。各発電機１３はケーブル１４によって搬器本体３に設けられたバッテリー７に接続されていて、発電機１３で発電された電力をバッテリー７に蓄電できるようにしてある。バッテリー７はケーブル１５によって電圧調整器１６を介して電気機器６に接続されている。このように、この発明によれば、搬器２に搭載された電気機器６を作動させる電力を供給するため電源装置は発電装置１１であり、図１に示す例では、発電装置１１の他にバッテリー７および電圧調整器１６をも含んでいて、発電機１３が駆動されていない時にも安定した電力供給ができるようにしてある。
【００１３】
この発明の電源装置は、ロープウエイの停止時に例えば終点駅に設けた外部電源に接続できるようにして、外部電源と搬器内電源とを併用することもできる。また、図示の発電装置１１は、走行車輪５に回転入力軸１２がそれぞれ直接連結された発電機１３を備えているが、ギヤ等の適当な動力伝達機構、変速機構、クラッチ機構等を介して連結し、変速可能、選択的あるいは逆転可能に連結することもできるし、一台の発電機に複数の走行車輪５を並列に連結することもできる。
【００１４】
この発明の電源装置によれば、搬器２の走行中にロープ１上を転動する走行車輪５によって発電機１３を回転させて発電し、搬器２に搭載されている電気機器６に電力を供給できるので、ロープウエイの走行中に電力供給が確保でき、搬器２の電気機器６に供給する電力の制限が緩和され、従来よりも大電流の電力を長時間供給することができる。
【００１５】
実施の形態２．
図２に示すロープウエイに於いては、電源装置の発電装置２１が、搬器２の搬器本体３の外部に支柱２２を介して取り付けられ、搬器２の走行時に走行風や自然風によって回転させられる風車２３によって駆動される発電機２４を備えている。発電機２４はロープウエイの走行時の走行風や自然風によって回転して発電し、電力をケーブル２５によってバッテリー７に供給し、そこから電圧調整器１６を通して電気機器６に給電する。
【００１６】
実施の形態３．
図３のロープウエイに於いては、電源装置の発電装置３１が、搬器２の搬器本体３の外部、例えば屋根外面に取り付けられて、走行時に太陽光線を受けて発電する太陽光発電パネル３２を備えており、太陽光発電パネル３２はケーブル３３によって電圧調整器１５を通してバッテリー７に接続されている。発電装置３１は光により発電された電力をケーブル３３によってバッテリー７に供給し、そこから電圧調整器１６を通して電気機器６に給電する。
【００１７】
図２および図３に示す例に於いては、図１の走行車輪５を利用する発電装置１１は設けられていないが、発電装置として、図１の発電装置１１と図２の風車式の発電装置２１と図３の太陽光発電パネル発電装置３１とを全てあるいは選択的に併用することもできる。風車２３および太陽光発電パネルの取付位置、形状および型式は任意である。またこれらの発電装置を、先に説明したように、バッテリー７の充電を外部電源によって行う方式と併用することもできる。この場合の給電はより安定し、自由度の高いものとなる。
【００１８】
実施の形態４．
図４には、電源装置の発電装置として図１の発電装置１１、図２の風車式の発電装置２１および図３の太陽光発電パネル３２の発電装置３１を全て併用した例を示す。この構成によれば、電力の供給をより安定させることができる。発電装置１１、２１および３１は発電された電力をそれぞれケーブル１４、２５および３３によってバッテリー７に供給し、そこから電圧調整器１６を通して電気機器６に給電する。外部電源出力端子（図示してない）に接続できる充電用の入力端子３５もパンタグラフ機構３６によって引き込み式に搬器本体３に取り付けられていて、ロープウエイの停止時に駅側の外部電源（図示してない）に接続して、搬器２内のバッテリー７を充電できるようにしてある。
【図面の簡単な説明】
【００１９】
【図１】この発明の走行車輪駆動式の発電機を備えた電源装置を搭載したロープウエイを示す概略斜視図である。
【図２】この発明の風車式発電機を備えた電源装置を搭載したロープウエイの概略斜視図である。
【図３】この発明の太陽光発電パネル式発電機を備えた電源装置を搭載したロープウエイの概略斜視図である。
【図４】図１乃至図３に示す種々の発電機を備えた電源装置を搭載したロープウエイの概略斜視図である。
【符号の説明】
【００２０】
１    ロープ、２    搬器、５    走行車輪、６    電気機器、７    バッテリー、１６    電圧調整器、１１、２１、３１    発電装置、１３    発電機、２３    風車、３２    太陽光発電パネル。
【図１】
2005297635.tif 000003
【図２】
2005297635.tif 000004
【図３】
2005297635.tif 000005
【図４】
2005297635.tif 000006